(57)【要約】【課題】利用者が乗った状態で回転しにくく、安全な利用が可能な健康器具を提供する。【解決手段】健康器具１０は、利用者が体の一部を乗せてバランスをとるための健康器具であり、可撓性を有し、回転可能な形状を呈する中空体１１と、中空体１１に形成された孔１１ａを塞ぐ栓１２と、中空体１１の内部に移動可能に設けられた砂１３と、を備えており、中空体１１は、内部に空気が充填された状態で、球形を呈し、中空体１１の外径φ１は、５５〜７５ｃｍである。【選択図】図１
0003130919.tif 000002
【実用新案登録請求の範囲】
【請求項１】
利用者が体の一部を乗せてバランスをとるための健康器具であって、
可撓性を有し、回転可能な形状を呈する中空体と、
前記中空体の内部に移動可能に設けられた錘と、
を備えることを特徴とする健康器具。
【請求項２】
前記中空体に形成された孔を塞ぐ栓をさらに備え、
前記錘は、前記孔から出し入れ可能な粒状物又は液体である
ことを特徴とする請求項１に記載の健康器具。
【請求項３】
前記中空体の外観は、前記中空体の内部に気体が充填された状態で、球形又は略円柱形を呈することを特徴とする請求項１又は請求項２に記載の健康器具。
【請求項４】
前記中空体の外観は、前記中空体内部に気体が充填された状態で、球形を呈し、
前記中空体の外径は、５５〜７５ｃｍである
ことを特徴とする請求項１又は請求項２に記載の健康器具。
【請求項５】
前記中空体の外観は、前記中空体の内部に気体が充填された状態で、略円柱形を呈し、
前記中空体の外径は、１２〜１８ｃｍであり、
前記中空体の全長は、８５〜１００ｃｍである
ことを特徴とする請求項１又は請求項２に記載の健康器具。
【考案の詳細な説明】
【技術分野】
【０００１】
本発明は、健康器具に関する。
【背景技術】
【０００２】
従来の健康器具として、バランスボールがある（例えば、特許文献１参照）。バランスボールは、可撓性を有するボールであり、内部に空気が充填されている。利用者は、このバランスボールに、体の一部を乗せた状態で各種エクササイズを行うことにより、バランス感覚を養う。
【特許文献１】実用新案登録第３１０５９２３号公報
【考案の開示】
【考案が解決しようとする課題】
【０００３】
しかしながら、従来のバランスボールは、利用者の荷重によって回転してしまう。そのため、初心者、高齢者等が安全に利用するためには、バランスボールを床面に設置したリング（滑り止めワッシャー）等に嵌め、回転を規制する必要があった。
【０００４】
本考案は、前記した問題を解決すべく創案されたものであり、利用者が乗った状態で回転しにくく、安全な利用が可能な健康器具を提供することを課題とする。
【課題を解決するための手段】
【０００５】
前記課題を解決するため、本考案の健康器具は、利用者が体の一部を乗せてバランスをとるための健康器具であって、可撓性を有し、回転可能な形状を呈する中空体と、前記中空体の内部に移動可能に設けられた錘と、を備えることを特徴とする。
【０００６】
前記健康器具は、前記中空体に形成された孔を塞ぐ栓をさらに備え、前記錘は、前記孔から出し入れ可能な粒状物又は液体であることが望ましい。
【０００７】
前記中空体の外観は、前記中空体の内部に気体が充填された状態で、球形又は略円柱形を呈することが望ましい。
【０００８】
前記中空体は、内部に気体が充填された状態で、球形を呈し、前記中空体の外径は、５５〜７５ｃｍであることが望ましい。
【０００９】
また、前記中空体は、内部に気体が充填された状態で、略円柱形を呈し、前記中空体の外径は、１２〜１８ｃｍであり、前記中空体の全長は、８５〜１００ｃｍであることが望ましい。
【考案の効果】
【００１０】
本考案によれば、利用者が乗った状態で回転しにくく、安全な利用が可能な健康器具を提供することができる。
【考案を実施するための最良の形態】
【００１１】
以下、本考案の実施形態について、適宜図面を参照しながら説明する。同様の部分には同一符号を付し、重複する説明を省略する。
【００１２】
（第一の実施形態）
図１は、本考案の第一の実施形態に係る健康器具を示す一部破断図である。図１に示すように、第一の実施形態に係る健康器具１０は、利用者が体の一部を乗せてバランスをとるためのものであり、中空体１１と、栓１２と、砂１３と、を備えている。
【００１３】
中空体１１は、可撓性を有し、回転可能な形状を呈するものであり、その外観は、内部に砂１３及び空気（気体）が充填された状態で球形を呈している。中空体１１は、合成樹脂（例えば、ポリ塩化ビニル（ＰＶＣ））等から形成されており、可撓性を有する。中空体１１の外径φ１は、５５〜７５ｃｍである。中空体１１には、中空体１１の外部と内部とをつなぐ孔１１ａが形成されている。中空体１１は、透明又は半透明であってもよく、不透明であってもよい。
栓１２は、孔１１ａを塞ぐためのものであり、孔１１ａに挿入される軸部１２ａと、軸部１２ａの端部に形成された頭部１２ｂと、を備えている。
砂１３は、粒状物の一例であり、中空体１１の内部に移動可能に設けられた錘である。砂１３には、衛生処理（例えば、加熱殺菌処理）が施されている。砂１３は、孔１１ａを介して中空体１１から出し入れ可能である。
【００１４】
続いて、健康器具１０の製造方法の一例について説明する。まず、一体成形により中空体１１を製造するとともに、栓１２を製造する。続いて、中空体１１に孔１１ａから空気を入れてある程度膨らませてから中空体１１に孔１１ａから砂１３を入れる。これで、健康器具１０が完成する。なお、健康器具１０を流通・販売経路に出す際には、異常がある健康器具１０に異常があるか否かを調べ、異常があるものを取り除く。まず、中空体１１に孔１１ａから空気をさらに入れて膨らませて球形とし、孔１１ａを栓１２で塞ぐ。その状態で２４時間おき、異常（空気漏れ等）があるか否かを調べる。続いて、栓抜きＣＯを用いて、異常がなかった中空体１１から栓１２を外し、空気を抜く。続いて、砂１３が入れられて空気が抜かれた状態の中空体１１と、栓１２と、栓抜きＣＯとを１セットとして箱詰めして販売する。また、中空体１１に空気を充填するためのポンプ（図示せず）をセットに組み込むこともできる。
使用時には、中空体１１に空気を充填して栓１２で孔１１ａを塞ぎ、球形とする。
【００１５】
続いて、健康器具１０の使用例について説明する。図２は、本考案の第一の実施形態に係る健康器具の使用例を示す模式図である。
【００１６】
図２に示すように、利用者Ｐは、臀部で健康器具１０に乗り、エクササイズを行う。また、利用者Ｐは、腹部又は背中で健康器具１に乗り、エクササイズを行うこともできる。したがって、健康器具１０は、利用者Ｐのバランス感覚を養うことができる。このとき、中空体１１の内部に移動可能に設けられた砂１３が錘の役目を果たすので、利用者Ｐが乗った状態で健康器具１０が回転しにくくなる。具体的には、中空体１１が回転すると、砂１３に作用する重力が、中空体１１に対してその回転を止める方向に作用する。また、中空体１１の回転終了後しばらくたつと、砂１３は中空体１１の内部の底に移動するので、砂１３に作用する重力のうち、中空体１１の回転方向の成分はゼロとなる。したがって、健康器具１０は、その回転を規制するためのリング等を使用しなくても、安全な利用が可能である。また、健康器具１０は、孔１１ａから砂１３を入れることができるので、容易に製造可能である。
【００１７】
また、中空体１１内の空気量を調整することで、エクササイズの難易度を調整することができる。より詳細には、中空体１１内の空気量を少なくすると、利用者Ｐの荷重による中空体１１の変形の度合いが大きくなり、中空体１１の接地面積及び利用者Ｐとの接触面積が大きくなるので、中空体１１が回転しにくくなるとともに、中空体１１の利用者Ｐに対する支持性能が高くなるので、エクササイズの難易度が低くなる。一方、中空体１１内の空気量を多くすると、利用者Ｐの荷重による中空体１１の変形の度合いが小さくなり、中空体１１の接地面積及び利用者Ｐとの接触面積が小さくなるので、中空体１１が回転しやすくなるとともに、中空体１１の利用者Ｐに対する支持性能が低くなるので、エクササイズの難易度が高くなる。
【００１８】
ここで、砂１３の質量は、１〜４ｋｇであることが望ましく、２ｋｇであることがより望ましい。本実施形態の中空体１１の質量が約１ｋｇであるので、砂１３の質量を前記した範囲に設定することにより、錘としての機能と持ち運びやすさとを両立させることができる。
【００１９】
（第二の実施形態）
図３は、本考案の第二の実施形態に係る健康器具を示す一部破断図である。図３に示すように、第二の実施形態に係る健康器具２０は、利用者が体の一部を乗せてバランスをとるためのものであり、中空体２１と、栓２２と、水２３と、を備えている。
【００２０】
中空体２１は、可撓性を有し、回転可能な形状を呈するものであり、その外観は、内部に水２３及び空気（気体）が充填された状態で略円柱形を呈している。すなわち、中空体２１の中間部分２１ａは、外観が円柱形を呈しており、中空体２１の両端部２１ｂ，２１ｃは、膨らみを有する形状を呈している。中空体２１は、合成樹脂（例えば、ポリ塩化ビニル（ＰＶＣ））等から形成されており、可撓性を有する。中空体２１の外径は、１２〜１８ｃｍであり、中空体２１の全長ｈは、８５〜１００ｃｍである。中空体２１には、中空体２１の外部と内部とをつなぐ孔２１ｄが形成されている。孔２１ｄは、使用時に邪魔にならないよう、中空体２１の両端部２１ｂ，２１ｃ又はその近傍に形成されていることが望ましい。中空体２１は、透明又は半透明であってもよく、不透明であってもよい。
栓２２は、孔２１ｄを塞ぐためのものであり、孔２１ｄに挿入される軸部２２ａと、軸部２２ａの端部に形成された頭部２２ｂと、を備えている。
水２３は、中空体２１の内部に移動可能に設けられた錘である。水２３は、孔２１ｄを介して中空体２１に出し入れ可能である。
【００２１】
続いて、健康器具２０の使用例について説明する。図４は、本考案の第二の実施形態に係る健康器具の使用例を示す模式図である。
【００２２】
図４に示すように、利用者Ｐは、背中で健康器具２０に乗り、エクササイズを行う。このとき、利用者Ｐは、背骨を健康器具２０の全長方向に合わせて乗る。したがって、健康器具２０は、利用者Ｐのバランス感覚を養うことができる。このとき、中空体２１の内部に移動可能に設けられた水２３が錘の役目を果たすので、利用者Ｐが乗った状態で健康器具２０が回転しにくくなる。具体的には、中空体２１が回転すると、水２３に作用する重力が、中空体２１に対してその回転を止める方向に作用する。また、中空体２１の回転終了後しばらくたつと、水２３は中空体２１の内部の底に移動するので、水２３に作用する重力のうち、中空体２１の回転方向の成分はゼロとなる。したがって、健康器具２０は、健康器具１０は、その回転を規制するためのリング等を使用しなくても、安全な利用が可能である。
【００２３】
ここで、水２３の質量は、○〜○ｋｇであることが望ましく、○ｋｇであることがより望ましい。本実施形態の中空体２１の質量が約○ｋｇであるので、水２３の質量を前記した範囲に設定することにより、錘としての機能と持ち運びやすさとを両立させることができる。
【００２４】
以上、本考案の実施形態について説明したが、本考案は前記実施形態に限定されず、本考案の要旨を逸脱しない範囲で適宜設計変更可能である。例えば、利用者Ｐは、健康器具１０，２０を両手又は両足で挟んで持ち上げる動作を行うことにより、健康器具１０，２０をウェイトトレーニングに使用することができる。また、利用者Ｐは、健康器具１０，２０を持ちながら太極拳のポーズをとることもできる。
【００２５】
また、中空体１１に砂１３に代えて水２３を入れてもよく、中空体２１に水２３に代えて砂１３を入れてもよい。また、中空体の内部に設けられる粒状物は、砂に限定されず、錘としての役目を果たすものであれば、その材料、形状、大きさは問わない。また、中空体の内部に設けられる液体は、水に限定されず、錘としての役目を果たすものであればよい。さらに、粒状物、液体以外の錘を中空体の内部に設けることも可能である。
【００２６】
また、中空体の孔を塞ぐ栓は、図示したものに限定されず、逆止弁構造を有し、錘としての粒状物又は液体が孔から漏れにくい構造とすることすることもできる。
【図面の簡単な説明】
【００２７】
【図１】本考案の第一の実施形態に係る健康器具を示す一部破断図である。
【図２】本考案の第一の実施形態に係る健康器具の使用例を示す模式図である。
【図３】本考案の第二の実施形態に係る健康器具を示す一部破断図である。
【図４】本考案の第二の実施形態に係る健康器具の使用例を示す模式図である。
【符号の説明】
【００２８】
１０，２０  健康器具
１１，２１  中空体
１１ａ，２１ｄ  孔
１２，２２  栓
１３    砂（粒状物、錘）
２３    水（液体、錘）
【図１】
0003130919.tif 000003
【図２】
0003130919.tif 000004
【図３】
0003130919.tif 000005
【図４】
0003130919.tif 000006